(57)【特許請求の範囲】
【請求項１】
ワイヤハーネスが出入りする上側ハーネス導出路を接線方向に形成してなる上カバーと，
前記上カバーの上側ハーネス導出路と結合させて筒状に形成され可動体側に接続されるワイヤハーネスが出入りする下側ハーネス導出路を接線方向に設ける下カバーと，
前記上カバーと下カバーの結合によって形成されるケース内を第１収容部と第２収容部に仕切る仕切板と、該仕切板に固着される円筒形状の巻取胴と、該巻取胴の下端部に固着され前記仕切板とによってローラ溝を形成する鍔部とからなり、前記ワイヤハーネスを前記ローラ溝に巻き付けるローラと，
前記ワイヤハーネスを前記ケース内に巻き戻す方向に前記ローラを付勢する巻取ばねとからなり、
前記上カバーには前記ワイヤハーネスを収納して該ワイヤハーネスを外部に導出する開口部を備える収納溝からなるハーネス導入路を設けるワイヤハーネス巻取り装置において，
前記ハーネス導入路は前記上カバーの内面側中央部近傍より外周端に向かって伸びることを特徴とするワイヤハーネス巻取り装置。
【請求項２】
前記ハーネス導入路は、前記ワイヤハーネスをクランプで固定できるようにしたものである請求項１に記載のワイヤハーネス巻取り装置。
【請求項３】
前記ハーネス導入路は、先端に前記ワイヤハーネスを固定するためのベラを設けたものである請求項１又は２に記載のワイヤハーネス巻取り装置。
【発明の詳細な説明】
【０００１】
【発明の属する技術分野】
本発明は、自動車などの車両の車体側等の固定体と自動車などのドア等の可動体との間に配索するワイヤハーネスに組み付け、可動体の移動に応じてワイヤハーネスを出入可能に巻き取るワイヤハーネス巻取り装置に関する。
【０００２】
【従来の技術】
一般に、自動車などの車両用のドアには、パワーウィンドウ用のモータ、ドアマウントスピーカなどの各種の電装品が組み付けられており、これらの電装品と車体側にある電源、コントロール部、各種センサなどとを電気的に接続するために、車体側とドアとの間にワイヤハーネスを配索する必要がある。
固定体と可動体との間、例えば、自動車などの車両の車体側とこれに開閉可能に取り付けられるドアとの間に配策されるワイヤハーネスを開時に伸ばし、閉時に縮め、開閉動作によって断線したり傷つけたりすることがないように開閉動作に合わせてワイヤハーネスを出入自在に収納させるのにワイヤハーネス巻取り装置が用いられる。このワイヤハーネス巻取り装置は、例えば、自動車などの車両のフロントドア、バックドア、サンルーフ、ラゲージドア（トランクルームのドア）等の各種センサなどの電装品を接続するワイヤハーネスを開閉に合わせて伸縮自在に収納するのに使用される。
【０００３】
本願出願人は、先の先願で図９、図１０に示す如きワイヤハーネス巻取り装置を提案している。この図９、図１０に示されるワイヤハーネス巻取り装置１は、上カバー２と下カバー３を結合することによってケース６が形成され、このケース６には、２つのハーネス導出口４、５が設けられており、このケース６内にローラ７が回転可能に設けられて構成されている。
【０００４】
下カバー３は、上下端が開口し上端にボルト挿通孔８が形成され、かつ高さ方向のほぼ中間に段差部９を有する円筒状に形成された支持筒部１０が中央部に立設されている底壁１１を有している。この底壁１１の周縁には、側壁１２と側壁１３とが対向して立設されている。
また、上カバー２は、中央に円形孔１４が形成された下カバー３の蓋体であり、この上カバー２には、周縁の複数箇所にロック孔１５を有する突出片１６を下カバー３の側壁１２と側壁１３に設けられた複数の係合突起１７にそれぞれ嵌合させることによって、上カバー２と下カバー３とが結合されるようになっている。
【０００５】
ローラ７は、ケース６内を第１収容部１８と第２収容部１９に仕切る仕切板２０と、この仕切板２０に固着され、複数本束ねチューブ２１が被せられたワイヤハーネス２２を巻き付ける円筒形の巻取胴２３と、巻取胴２３の下端部に固着され、仕切板２０と平行な鍔板２４とからなる。また、このローラ７の仕切板２０の中心部から上側に筒状の支軸２５が設けられている。この支軸２５は、支持筒部１０の小径円筒部が嵌合する貫通孔２６を有しており、支軸２５の下端部には、支持筒部１０の段差部９に回転可能に嵌合する円形凹部２７が形成されている。そして、支軸２５の上端部には、ボルト２８の頭部および座金２９を収容する円形凹部３０が形成されている。
ワイヤハーネス２２は、ケース６の外部から導入され、仕切板２０と上カバー２とによって形成されるケース６の第１収容部１８内に収納され、仕切板２０の切欠部３５で仕切板２０と下カバー３とによって形成されるケース６の第２収容部１９内に導入され、ローラ７の巻取胴２３に巻き付けられ、上カバー２と下カバー３とによって形成されるハーネス導出口４から導出するようになっている。そして、このワイヤハーネス２２は、仕切板２０の切欠部３５で固定されており、第１収容部１８内から第２収容部１９内へ移動することはない。すなわち、第１収容部１８内に収容される固定側ワイヤハーネス２２は、第２収容部１９内に収容される可動側ワイヤハーネス２２がドアなどの可動体の開閉によってローラ７の回転によって最大長巻き出されたときに十分な長さをもって第１収容部１８内に収納されている。
【０００６】
このローラ７は、支軸２５の円形凹部２７を支持筒部１０の段差部９に嵌着させた状態で、座金２９を介してボルト挿通孔８に通したボルト２８とナット３１によって締結することにより上方への抜けが防止され、段差部９と座金２９との間でフリーになって支持筒部１０に回転可能に支持されることになる。
また、ローラ７の巻取胴２３内には、可動側のワイヤハーネス２２をケース６内に巻き戻す方向にローラ７を付勢する巻取ばね（ゼンマイばね）３２が収容されている。すなわち、巻取ばね３２は、ワイヤハーネス２２に引張力が作用し、この力がワイヤハーネス２２を介してローラ７に伝わり、このローラ７が回転すると縮径し、ワイヤハーネス２２に引張力がなくなると、縮径状態からの復元力でローラ４を巻取方向に回転付勢するようになっている。この巻取ばね３２は、一端３３が支持筒部１０の大径円筒部に固定され、巻取ばね３２の他端３４は巻取胴２３に固定されている。
【０００７】
【発明が解決しようとする課題】
このような本願出願人が先の先願で提案したワイヤハーネス巻取り装置は、第１収容部１８内に収容される固定側ワイヤハーネス２２が、第２収容部１９内に収容される可動側ワイヤハーネス２２がドアなどの可動体の開閉によってローラ７の回転によって最大長巻き出されたときに十分な長さをもって第１収容部１８内に収納されており、ドアなどの可動体を開かない状態では、図１１に示す如く固定側ワイヤハーネス２２が第１収容部１８内で重なり合った状態となっている。このため、ドアなどの可動体を開閉すると、この可動体の開閉に伴って可動側ワイヤハーネス２２に引張力が掛かり、引張力がローラ７に伝わり、ローラ７が巻取ばね３２の付勢力に抗して回転し可動側ワイヤハーネス２２がローラ７から巻き出され、ハーネス導出口４から外へ引き出されていく際に、第１収容部１８内に重なり合った状態で収納されている固定側ワイヤハーネス２２が第１収容部１８内で重なり合った部分が擦れて異音を発生したり、重なり合った部分に摩擦力が生じ、作動不良を起こすことがあるという問題がある。
【０００８】
本発明の目的は、第１収容部内に収容されるワイヤハーネスが、互いに重なり合うのを防止し、ドアなどの可動体の開閉によってローラが回転して第２収容部内に収容されるワイヤハーネスが巻き出される際に、第１収容部内に収容されるワイヤハーネスが擦れて異音を発したり、作動不良を起こすことがないようにすることにある。
【０００９】
【課題を解決するための手段】
請求項１に記載の発明におけるワイヤハーネス巻取り装置は、ワイヤハーネスが出入りする上側ハーネス導出路を接線方向に形成してなる上カバーと，前記上カバーの上側ハーネス導出路と結合させて筒状に形成され可動体側に接続されるワイヤハーネスが出入りする下側ハーネス導出路を接線方向に設ける下カバーと，前記上カバーと下カバーの結合によって形成されるケース内を第１収容部と第２収容部に仕切る仕切板と、該仕切板に固着される円筒形状の巻取胴と、該巻取胴の下端部に固着され前記仕切板とによってローラ溝を形成する鍔部とからなり、前記ワイヤハーネスを前記ローラ溝に巻き付けるローラと，前記ワイヤハーネスを前記ケース内に巻き戻す方向に前記ローラを付勢する巻取ばねとからなり、前記上カバーには前記ワイヤハーネスを収納して該ワイヤハーネスを外部に導出する開口部を備える収納溝からなるハーネス導入路を設けるワイヤハーネス巻取り装置において，前記ハーネス導入路は前記上カバーの内面側中央部近傍より外周端に向かって伸びることを特徴としたものである。このように構成することにより、請求項１に記載の発明によると、第１収容部内に収容されるワイヤハーネスが、互いに重なり合うのを防止でき、ドアなどの可動体の開閉によってローラが回転して第２収容部内に収容されるワイヤハーネスが巻き出される際に、第１収容部内に収容されるワイヤハーネスが擦れて異音を発したり、作動不良を起こすのを防止することができる。
【００１０】
請求項２に記載の発明におけるワイヤハーネス巻取り装置は、ハーネス導入路を、ワイヤハーネスを固定用クランプで固定できるように構成したものである。このように構成することにより、請求項２に記載の発明によると、ハーネス導入路にワイヤハーネスを確実に固定することができる。
【００１１】
請求項３に記載の発明におけるワイヤハーネス巻取り装置は、ハーネス導入路を、先端にワイヤハーネスを固定するためのベラを設けて構成したものである。このように構成することにより、請求項３に記載の発明によると、ワイヤハーネスをハーネス導入路の先端でハーネス導入路に確実に固定することができる。
【発明の実施の形態】
以下、本発明に係るワイヤハーネス巻取り装置の実施の形態について説明する。
ワイヤハーネス巻取り装置は、例えば、自動車などの車両のフロントドア、バックドア、サンルーフ、ラゲージドア（トランクルームのドア）等の各種センサなどの電装品を接続するワイヤハーネスを開閉に合わせて伸縮自在に収納するのに使用される。
図１〜図５には、本発明に係るワイヤハーネス巻取り装置５０の一実施の形態が示されている。
【００１２】
図において、ワイヤハーネス巻取り装置５０は、上カバー５１と下カバー５２を結合することによって形成されるケース５３と、このケース５３内に回転可能に設けられたローラ５４とを備えている。
下カバー５２は、図２に示す如く、上端にボルト挿通孔５５が形成された円柱状の支持軸５６が中央部に立設されている底壁５７を有している。この底壁５７の周縁には、側壁５８が立設されている。また、この底壁５７には、支持軸５６を囲んで円筒状に形成される下ガイド筒５９が設けられている。この下ガイド筒５９は、支持軸５６と共働して、ローラ５４を支持する作用を有している。
また、下カバー５２の底壁５７には、下ガイド筒５９を囲んで円筒状に形成される位置決め部材６０が設けられている。さらに、下カバー５２の底壁５７には、位置決め部材６０の外周に円弧状の壁面６１が設けられており、この壁面６１内に巻取ばね８２が収納される。
また、下カバー５２の壁面６１には、ローラ５４に巻き付けられたワイヤハーネス６２を出し入れする下側ハーネス導出路６３が設けられている。この下側ハーネス導出路６３は、下カバー５２の内部に連通し、下カバー５２の接線方向に設けられている。
【００１３】
また、上カバー５１は、中央内側（図４の下面側）に円筒状に形成される上ガイド筒６４が設けられた下カバー５２の蓋体であり、この上カバー５１には、周縁の複数箇所に係合片６５が設けられている。この上カバー５１の周縁に設けられた係合片６５を下カバー５２の側壁５８に設けられた複数の係止部６６にそれぞれ係合させることによって、上カバー５１と下カバー５２とが結合されるようになっている。
また、上カバー５１には、図２に示す如く、固定体側に接続されるワイヤハーネス６２を導入固定するハーネス導入路６７が設けられている。このハーネス導入路６７は、上カバー５１に内面側中央部に形成されている上ガイド筒６４の近傍より外周端に向かって上カバー５１の外側に突出する収納溝９０を有している。そして、この収納溝９０内には、ワイヤハーネス６２が収納されており、先端には、ワイヤハーネス６２を外部に導出する開口部９１が設けられている。
さらに、このハーネス導入路６７の先端部には、ベラ９２が設けられている。このベラ９２は、収納溝９０に収納されるワイヤハーネス６２を固定するためのもので、テープ８７でワイヤハーネス６２をハーネス導入路６７のベラ９２に固定している。また、このハーネス導入路６７の収納溝９０には、穴９３が設けられている。この穴９３は、ワイヤハーネス６２にテープ９５を巻き付けて取り付けられたクランプ９４を装着するためのものである。このクランプ９４は、ワイヤハーネス６２を束ねた箇所にテープ巻き等で取り付けられ、図５に示す如く、穴９３に嵌着することによってワイヤハーネス６２を固定している。
【００１４】
このハーネス導入路６７のベラ９２には、固定体側に接続されるワイヤハーネス６２を導入し、図１に示す如くテープ８７で固定してある。さらに、上カバー５１には、図２に示す如く、ローラ５４に巻き付けられたワイヤハーネス６２を出し入れする上側ハーネス導出路６８が設けられている。この上側ハーネス導出路６８は、上カバー５１の接線方向に伸びて設けられている。
この上カバー５１の上側ハーネス導出路６８は、下カバー５２に上カバー５１を被せたときに、図４に示す如く、下カバー５２の下側ハーネス導出路６３と重ね合わさってハーネス導出路６９が形成される。
上カバー５１は、必要があれば、上側からネジ７０を支持軸５６のボルト挿通孔５５に螺合して締め付け固定してもよい。
【００１５】
ローラ５４は、ケース５３内を第１収容部７１と第２収容部７２に仕切る仕切板７３を有している。そして、この仕切板７３には、切欠部８８が形成されており、この仕切板７３の切欠部８８によって第１収容部７１に収容される可動側ワイヤハーネス６２と第２収容部７２に収容される固定側ワイヤハーネス６２とが連通している。このワイヤハーネス６２は、仕切板７３の切欠部８８で固定され、第１収容部７１から第２収容部７２へ、また第２収容部７２から第１収容部７１へ移動することが規制されている。
この仕切板７３には、電線を複数本束ね、チューブ７４が被せられたワイヤハーネス６２を巻き付ける円筒形の巻取胴７５が固着されている。この巻取胴７５の下端部には、鍔部７６が固着されている。この仕切板７３と巻取胴７５と鍔部７６とによってローラ溝７７が構成されている。
このローラ溝７７は、円弧状に形成されており、ローラ溝７７に巻き付けられたワイヤハーネス６２を出し入れする際に、ワイヤハーネス６２の出し入れ位置及び出し入れ方向が規制される。この円弧状に形成されるローラ溝７７は、すり鉢状に形成してもよい。本実施の形態においては、すり鉢状に形成したものが示されている。本実施の形態のように、すり鉢状に形成すると、ローラ溝７７の形成位置を下カバー５２の底壁５７により近づけて形成することができるので全体をコンパクトにすることができる。
【００１６】
上カバー５１の上側ハーネス導出路６８と下カバー５２の下側ハーネス導出路６３によって構成されるハーネス導出路６９は、そのワイヤハーネス６２の送出方向が、ローラ溝７７の溝形成方向、すなわちローラ溝７７によって決定されるワイヤハーネス６２の送出方向と一致するようにケース５３に設けられている。すなわち、ハーネス導出路６９の中心軸とローラ溝７７のワイヤハーネス６２の送出方向中心軸とが一になるように設けられている。
【００１７】
また、仕切板７３の中心部には、この仕切板７３の上側に円筒状に形成された上側支軸７８が、この仕切板７３の下側に円筒状に形成された下側支軸７９が、それぞれ設けられている。この上側支軸７８と下側支軸７９とによって支軸８０が構成されている。この上側支軸７８と下側支軸７９は、１つの筒体で構成し、仕切板７３の中心部に貫通して設けてもよい。
【００１８】
また、このローラ５４の仕切板７３の下側には、下側支軸７８の外周に円筒状に形成される下ガイド部材８１が設けられている。この下ガイド部材８１は、下カバー５２の下ガイド筒５９の外周に形成される位置決め部材６０に当接し、この位置決め部材６０上をローラ５４が回転した際に摺動するためのものである。この下カバー５２の下ガイド筒５９の外周に形成される位置決め部材６０は、ローラ５４を所定高さ位置（ローラ５４の鍔部７６が、ローラ５４を下カバー５２に装着した際に下カバー５２の底壁５７に当接しない位置）に位置決めして支持するためのものである。
したがって、この下カバー５２の底壁５７に形成される位置決め部材６０によって、ローラ５４の鍔部７６が、ローラ５４を下カバー５２に装着した際に底壁５７に当接しないように装着することができる。
【００１９】
また、ローラ５４の巻取胴７５内には、可動側のワイヤハーネス６２をケース５３内に巻き戻す方向にローラ５４を付勢する巻取ばね（コイルばね）８２が収容されている。すなわち、巻取ばね８２は、ワイヤハーネス６２に引張力が作用し、この力がワイヤハーネス６２を介してローラ５４に伝わり、このローラ５４が回転すると縮径し、ワイヤハーネス６２に引張力がなくなると、縮径状態からの復元力でローラ５４を巻取方向に回転付勢するようになっている。この巻取ばね８２は、一端８３がローラ５４の仕切板７３の下側に形成された突起８４に係止されており、巻取ばね８２の他端８５は、下カバー５２の底壁５７に形成された突起８６に係止されている。
【００２０】
このように構成されるワイヤハーネス巻取り装置５０は、図６〜図８に示す如き方法で組み立てられる。
まず、ワイヤハーネス６２が取り付けられたローラ５４の仕切板７３の下側に形成された突起８３に巻取ばね８２の一端８３を係止して、ローラ５４の巻取胴７５内に巻取ばね８２を収納する。この巻取ばね８２の収納されたローラ５４を、ローラ５４の支軸８０に下カバー５２の支持軸５６を嵌合させて下カバー５２内に装着する。このように下カバー５２の支持軸５６にローラ５４の支軸８０を貫通させると、支持軸５６は、ローラ５４の支軸８０よりも少し出っ張る。
【００２１】
このとき、巻取ばね８２の他端８５を下カバー５２の突起８６に係止する。このローラ５４を下カバー５２に装着すると、ローラ５４の仕切板７３の下側に設けられた下ガイド部材８１は、下カバー５２の底壁５９に形成される位置決め部材６０に当接した状態になつている。
また、このローラ５４を下カバー５２に装着するに当たっては、ローラ５４の仕切板７３の下側に設けられた下側支軸７９は、下カバー５２の底壁５９に形成される支持軸５６と下ガイド筒５９の間に嵌着する。この支持軸５６と下ガイド筒５９とによってローラ５４の下側支軸７９が支持される。
【００２２】
次に、ローラ５４の仕切板７３の切欠部８８に固定された第１収容部７１に収容される可動側ワイヤハーネス６２の先端に図７に示す如くテープ９５を巻き付けてクランプ９４を取り付ける。しかる後、このクランプ９４を上カバー５１のハーネス導入路６７の収納溝９０に設けられた穴９３に嵌合し図８に示す如く装着固定し、可動側ワイヤハーネス６２をハーネス導入路６７の収納溝９０に収納する。さらに、このハーネス導入路６７の収納溝９０に収納した可動側ワイヤハーネス６２の先端部を図８に示す如く、ハーネス導入路６７のベラ９２にテープ８７で固定する。
【００２３】
そして、この可動側ワイヤハーネス６２が装着された上カバー５１をローラ５４が装着された下カバー５２に、上カバー５１の周縁に設けられた複数箇所に係合片６５を下カバー５２の側壁５８に設けられた複数の係止部６６にそれぞれ係合させることによって、上カバー５１を装着する。この上カバー５１の装着によって上カバー５１と下カバー５２とが結合される。この上カバー５１の装着にあたっては、上カバー５１の中央内側に形成される上ガイド筒６４に、ローラ５４の仕切板７３の上側に設けられた上側支軸７８を嵌着することによって行う。この上カバー５１の上ガイド筒６４によってローラ５４の上側支軸７８が支持される。
【００２４】
このようにローラ５４の仕切板７３の切欠部８８から第１収容部７１に渡された可動側ワイヤハーネス６２の先端にクランプ９４を取り付け、このクランプ９４を上カバー５１のハーネス導入路６７の収納溝９０に設けられた穴９３に嵌合しすると共に、可動側ワイヤハーネス６２をハーネス導入路６７の収納溝９０に収納し、可動側ワイヤハーネス６２の先端部をテープ８７で、ハーネス導入路６７のベラ９２に固定してあるため、第１収容部７１内でワイヤハーネス６２が重なり合うことがなく、ローラ５４が回転した際に第１収容部７１内でワイヤハーネス６２が擦れて異音を発したり、作動不良を起こすのを防止することができる。
【００２５】
【発明の効果】
本発明は、以上説明したように構成されているので、以下に記載されるような効果を奏する。
【００２６】
請求項１に記載の発明によれば、第１収容部内に収容されるワイヤハーネスが、互いに重なり合うのを防止でき、ドアなどの可動体の開閉によってローラが回転して第２収容部内に収容されるワイヤハーネスが巻き出される際に、第１収容部内に収容されるワイヤハーネスが擦れて異音を発したり、作動不良を起こすのを防止することができる。
【００２７】
請求項２に記載の発明によれば、ハーネス導入路にワイヤハーネスを確実に固定することができる。
【００２８】
請求項３に記載の発明によれば、ワイヤハーネスをハーネス導入路の先端でハーネス導入路に確実に固定することができる。
【図面の簡単な説明】
【図１】本発明に係るワイヤハーネス巻取り装置の実施の形態を示す全体斜視図である。
【図２】図１に図示ワイヤハーネス巻取り装置の組立分解斜視図である。
【図３】図１に図示ワイヤハーネス巻取り装置の分解断面図である。
【図４】図１に図示ワイヤハーネス巻取り装置の組立てた状態の断面図である。
【図５】図４に図示ワイヤハーネス巻取り装置の上カバーのハーネス導入路の断面図である。
【図６】図１に図示ワイヤハーネス巻取り装置の組立を説明するための図である。
【図７】図１に図示ワイヤハーネス巻取り装置の組立を説明するための図である。
【図８】図１に図示ワイヤハーネス巻取り装置の組立を説明するための図である。
【図９】従来のワイヤハーネス巻取り装置の組立分解斜視図である。
【図１０】図９に図示従来のワイヤハーネス巻取り装置の組立てた状態の断面図である。
【図１１】図１０に図示従来のワイヤハーネス巻取り装置の問題点を説明するための図である。
【符号の説明】
５０………………ワイヤハーネス巻取り装置
５１………………上カバー
５２………………下カバー
５３………………ケース
５４………………ローラ
５５………………ボルト挿通孔
５６………………支持軸
５７………………底壁
５８………………側壁
５９………………下ガイド筒
６０………………位置決め部材
６１………………壁面
６２………………ワイヤハーネス
６３………………下側ハーネス導出路
６４………………上ガイド筒
６５………………係合片
６６………………係止部
６７………………ハーネス導入路
６８………………上側ハーネス導出路
６９………………ハーネス導出路
７０………………ネジ
７１………………第１収容部
７２………………第２収容部
７３………………仕切板
７４………………チューブ
７５………………巻取胴
７６………………鍔部
７７………………ローラ溝
７８………………上側支軸
７９………………下側支軸
８０………………支軸
８１………………下ガイド部材
８２………………巻取ばね
８３………………一端
８４………………突起
８５………………他端
８６………………突起
８７………………テープ
８８………………切欠部
９０………………収納溝
９１………………開口部
９２………………ベラ
９３………………穴
９４………………クランプ
９５………………テープ
【図１】
0003654804.tif 000002
【図２】
0003654804.tif 000003
【図３】
0003654804.tif 000004
【図４】
0003654804.tif 000005
【図５】
0003654804.tif 000006
【図６】
0003654804.tif 000007
【図７】
0003654804.tif 000008
【図８】
0003654804.tif 000009
【図９】
0003654804.tif 000010
【図１０】
0003654804.tif 000011
【図１１】
0003654804.tif 000012